(57)【特許請求の範囲】
【請求項１】
多孔質膜をエッチングする方法であって、
前記多孔質膜を有する被処理体が収容されたプラズマ処理装置の処理容器内に第１のガスを供給する工程と、
前記処理容器内において前記多孔質膜のエッチング用の第２のガスのプラズマを生成する工程と、
を含み、
前記第１のガスは、前記処理容器内でその上に前記被処理体が載置されているステージの温度において１３３．３パスカル以下の飽和蒸気圧を有する処理ガスからなるか、又は、該処理ガスを含み、
前記第１のガスを供給する前記工程では、プラズマは生成されず、前記処理容器内に供給される前記処理ガスの分圧は、前記飽和蒸気圧の２０％以上であり、
前記第１のガスを供給する前記工程及び前記第２のガスのプラズマを生成する前記工程を含むシーケンスが繰り返し実行される、
方法。
【請求項２】
多孔質膜をエッチングする方法であって、
前記多孔質膜を有する被処理体が収容されたプラズマ処理装置の処理容器内に第１のガスを供給する工程と、
前記処理容器内において前記多孔質膜のエッチング用の第２のガスのプラズマを生成する工程と、
を含み、
前記第１のガスは、前記処理容器内でその上に前記被処理体が載置されているステージの温度において１３３．３パスカル以下の飽和蒸気圧を有する処理ガスからなるか、又は、該処理ガスを含み、
前記第１のガスを供給する前記工程では、プラズマは生成されず、前記処理容器内に供給される前記処理ガスの分圧は、前記飽和蒸気圧の２０％以上であり、前記処理ガスが毛管凝縮によって前記多孔質膜の細孔内で液化して該細孔を液体で充填し、
前記第２のガスのプラズマを生成する前記工程では、前記細孔が前記液体で充填された状態で前記多孔質膜がエッチングされる、
方法。
【請求項３】
前記第１のガスを供給する前記工程及び前記第２のガスのプラズマを生成する前記工程を含むシーケンスが繰り返し実行される、請求項２に記載の方法。
【請求項４】
前記第１のガスを供給する前記工程と前記第２のガスのプラズマを生成する前記工程との間において、プラズマを生成せずに、前記処理容器内に前記第２のガスを供給する工程を更に含む、請求項１〜３の何れか一項に記載の方法。
【請求項５】
前記第１のガスを供給する前記工程における前記処理容器内の空間の圧力は、１３３．３パスカル以下である、請求項１〜４の何れか一項に記載の方法。
【請求項６】
前記第２のガスのプラズマを生成する前記工程における前記処理容器内の空間の圧力は、４０パスカル以下である、請求項１〜５の何れか一項に記載の方法。
【請求項７】
前記処理ガスは、フルオロカーボンガスを含む、請求項１〜６の何れか一項に記載の方法。
【請求項８】
前記フルオロカーボンガスは、Ｃ７Ｆ８ガス及びＣ６Ｆ６ガスのうち少なくとも一方を含み、
前記第１のガスを供給する前記工程において前記処理容器内に供給される前記処理ガスの分圧は、前記飽和蒸気圧の１００％以下である、請求項７に記載の方法。
【請求項９】
前記処理ガスは、炭化水素ガス、又は酸素含有炭化水素ガスである、請求項１〜６の何れか一項に記載の方法。
【請求項１０】
前記処理ガスに含まれる分子中の炭素原子の原子数に対して該分子中の酸素原子の原子数が１／２以下である、請求項９に記載の方法。
【請求項１１】
前記処理ガスに基づく前記多孔質膜中の液体を気化させて気体を生成し、該気体を排気する工程を更に含む、請求項１〜１０の何れか一項に記載の方法。
【発明の詳細な説明】
【技術分野】
【０００１】
本発明の実施形態は、多孔質膜をエッチングする方法に関するものである。
【背景技術】
【０００２】
半導体デバイスといった電子デバイスには、多孔質膜が用いられることがある。多孔質膜としては、例えば、ＳｉＯＣ膜といった低誘電率材料から構成された膜が用いられる。このような電子デバイスの製造においては、リソグラフィーによってフォトレジストに形成された微細パターンを、プラズマエッチングによって必要に応じＴｉＮ膜、ＳｉＯ２膜、又はＳｉ３Ｎ４膜のようなハードマスクに転写し、引き続き当該パターンを多孔質膜に転写する処理が行われる。
【０００３】
多孔質膜のプラズマエッチングでは、プラズマ処理装置の処理容器内でエッチング用のガスを励起させることによってラジカルが生成されるが、ラジカルは多孔質膜の細孔（ポア）内に侵入して多孔質膜にダメージを与え得る。このため、ラジカルから多孔質膜を保護する幾つかの技術が提案されている。
【０００４】
例えば、非特許文献１には、多孔質膜を極低温下でエッチングすることにより、反応生成物を多孔質膜中で凝縮させる技術が記載されている。この技術では、多孔質膜中で凝縮した反応生成物により、当該多孔質膜中へのラジカルの侵入が抑制されている。このような反応生成物の凝縮のために、多孔質膜のエッチング時の温度は、−７０℃以下に設定される。
【０００５】
また、非特許文献２には、ＰＭＭＡ（ポリメタクリル酸メチル樹脂）を多孔質膜中に浸透させて、当該ＰＭＭＡにより多孔質膜中へのラジカルの侵入を抑制する技術が記載されている。この技術では、多孔質膜のエッチングの終了後、水素ガスとヘリウムガスの混合ガスを用いるプラズマ処理、又はレーザアニールといった後処理によってＰＭＭＡが除去される。
【先行技術文献】
【非特許文献】
【０００６】
【非特許文献１】Ｌｉｐｉｎｇ  Ｚｈａｎｇ他、”Ｄａｍａｇｅ  Ｆｒｅｅ  Ｃｒｙｏｇｅｎｉｃ  Ｅｔｃｈｉｎｇ  ｏｆ  ａ  Ｐｏｒｏｕｓ  Ｏｒｇａｎｏｓｉｌｉｃａ  Ｕｌｔｒａｌｏｗ−ｋ  Ｆｉｌｍ”、ＥＣＳ  Ｓｏｌｉｄ  Ｓｔａｔｅ  Ｌｅｔｔ．  ２０１３  ｖｏｌｕｍｅ  ２，  ｉｓｓｕｅ  ２，  Ｎ５−Ｎ７
【非特許文献２】Ｍａｒｋｕｓ  Ｈ．  Ｈｅｙｎｅ他、”Ｑｕａｎｔｉｔａｔｉｖｅ  ｃｈａｒａｃｔｅｒｉｚａｔｉｏｎ  ｏｆ  ｐｏｒｅ  ｓｔｕｆｆｉｎｇ  ａｎｄ  ｕｎｓｔｕｆｆｉｎｇ  ｆｏｒ  ｐｏｓｔｐｏｒｏｓｉｔｙ  ｐｌａｓｍａ  ｐｒｏｔｅｃｔｉｏｎ  ｏｆ  ｌｏｗ−ｋ  ｍａｔｅｒｉａｌｓ”、Ｊｏｕｒｎａｌ  ｏｆ  Ｖａｃｕｕｍ  Ｓｃｉｅｎｃｅ  ＆  Ｔｅｃｈｎｏｌｏｇｙ  Ｂ３２，０６２２０２  （２０１４）
【発明の概要】
【発明が解決しようとする課題】
【０００７】
非特許文献１に記載された技術のように極低温でエッチングには、通常の冷媒を用いる冷却機構を有するプラズマ処理装置を用いることができず、例えば、液体窒素等を用いる冷却機構を有するプラズマ処理装置が必要になる。したがって、このような極低温のエッチングでは、ランニングコストが高くなる。また、非特許文献２に記載された技術では、ＰＭＭＡを多孔質膜中に浸透させるための工程が必要となり、且つ専用の処理装置が必要である。また、非特許文献２に記載された技術では、ＰＭＭＡの除去のための後処理により、多孔質膜にダメージが加わる。
【０００８】
したがって、多孔質膜のダメージを抑制可能な改善された多孔質膜のエッチング方法が必要である。
【課題を解決するための手段】
【０００９】
一態様では、多孔質膜をエッチングする方法が提供される。この方法は、（ａ）多孔質膜を有する被処理体が収容されたプラズマ処理装置の処理容器内に第１のガスを供給する工程（以下、「封孔工程」という）と、（ｂ）処理容器内において多孔質膜のエッチング用の第２のガスのプラズマを生成する工程（以下、「エッチング工程」という）と、を含む。第１のガスは、処理容器内でその上に被処理体が載置されているステージの温度において１３３．３パスカル以下の飽和蒸気圧を有する処理ガスからなるか、又は、該処理ガスを含む。また、封孔工程では、プラズマは生成されず、処理容器内に供給される処理ガスの分圧は、飽和蒸気圧の２０％以上である。一実施形態では、封孔工程における処理容器内の空間の圧力は、１３３．３パスカル（１Ｔｏｒｒ）以下の圧力に設定される。また、一実施形態では、エッチング工程における処理容器内の空間の圧力は、４０パスカル（３００ｍＴｏｒｒ）以下の圧力に設定される。なお、エッチング工程における処理容器内の空間の圧力は、１３．３３パスカル（１００ｍＴｏｒｒ）以下に設定されてもよい。
【００１０】
一態様に係る方法では、多孔質膜の細孔を封孔するために、ステージ温度において１３３．３パスカル以下の飽和蒸気圧を有する処理ガスが用いられ、当該処理ガスが飽和蒸気圧の２０％以上の分圧で処理容器内に供給される。かかる分圧の処理ガスを用いた封孔工程では、毛管凝縮により多孔質膜の細孔内で処理ガスが液化し、細孔内の液体がエッチング工程において生成されるラジカルが多孔質膜の細孔に侵入することを抑制する。また、この液化は、極低温ではなく、通常のプラズマ処理装置の冷却機構によって達成し得る温度、例えば−５０℃程度、又は−５０℃以上の温度において実現され得る。さらに、処理ガスの液化によって生成された液体は、例えば、被処理体の温度を常温に設定することにより気化するので、容易に除去され得る。したがって、極低温に被処理体の温度を調整する冷却機構を用いることなくエッチング用のラジカルから多孔質膜を保護することが可能となり、且つ、多孔質膜のダメージを抑制することが可能となる。
【００１１】
一実施形態では、封孔工程、及びエッチング工程を含むシーケンスが繰り返し実行され得る。封孔工程によって多孔質膜の細孔内に導入された液体は、エッチング工程中に気化し得る。この実施形態によれば、液体による多孔質膜の保護が持続する時間長でエッチング工程が実行され、再び封孔工程及びエッチング工程が実行される。これにより、多孔質膜のダメージを抑制しつつ、エッチング量を確保することが可能となる。
【００１２】
一実施形態の方法は、封孔工程とエッチング工程との間において、プラズマを生成せずに、処理容器内に第２のガスを供給する工程（以下、「ガス置換工程」という）を更に含む。この実施形態によれば、処理容器内のガスが、ガス置換工程によって第１のガスから第２のガスに置き換えられた後に、プラズマが生成される。したがって、不要な活性種の発生が抑制される。
【００１３】
一実施形態では、封孔工程に用いられる処理ガスは、フルオロカーボンガスであってもよい。また、一実施形態では、フルオロカーボンガスは、Ｃ７Ｆ８ガス及びＣ６Ｆ６ガスのうち少なくとも一方を含み、封孔工程において処理容器内に供給される処理ガスの分圧は、飽和蒸気圧の１００％以下の分圧に設定され得る。
【００１４】
一実施形態では、封孔工程に用いられる処理ガスは、炭化水素ガスであってもよい。また、一実施形態では、処理ガスは、酸素含有炭化水素ガスであってもよい。これら実施形態の処理ガスも、封孔工程に用いることが可能である。また、一実施形態では、処理ガスに含まれる分子中の炭素原子の原子数に対して該分子中の酸素原子の原子数が１／２以下であってもよい。このような処理ガスによれば、酸素による多孔質膜のダメージを抑制しつつ、多孔質膜の細孔内において処理ガスを液化させることが可能となる。
【００１５】
一実施形態において、方法は、処理ガスに基づく多孔質膜中の液体を気化させて気体を生成し、該気体を排気する工程（以下、「除去工程」という）を更に含んでいてもよい。除去工程では、封孔工程及びエッチング工程に用いられるプラズマ処理装置の処理容器内で多孔質膜を有する被処理体の温度が常温（例えば、２０℃）以上の温度に設定される。或いは、除去工程では、封孔工程及びエッチング工程に用いられるプラズマ処理装置と真空搬送系を介して接続された専用の装置内で、多孔質膜を有する被処理体の温度が常温（例えば、２０℃）以上の温度に設定される。
【発明の効果】
【００１６】
以上説明したように、改善された多孔質膜のエッチング方法が提供され、極低温に被処理体の温度を調整する冷却機構を用いることなくエッチング用のラジカルから多孔質膜を保護することが可能となり、且つ、多孔質膜のダメージを抑制することが可能となる。
【図面の簡単な説明】
【００１７】
【図１】一実施形態に係る多孔質膜をエッチングする方法を示す流れ図である。
【図２】被処理体の一例を示す断面図である。
【図３】一実施形態に係るプラズマ処理装置を概略的に示す図である。
【図４】図１に示す方法に関連する一例のタイミングチャートである。
【図５】図１に示す方法の各工程の実行後の被処理体の状態を示す断面図である。
【図６】図１に示す方法の各工程の実行後の被処理体の状態を示す断面図である。
【図７】図１に示す方法の各工程の実行後の被処理体の状態を示す断面図である。
【図８】図１に示す方法の各工程の実行後の被処理体の状態を示す断面図である。
【図９】図１に示す方法の各工程の実行後の被処理体の状態を示す断面図である。
【図１０】種々のフルオロカーボンガスの飽和蒸気圧とステージＰＤの温度の関係を示すグラフである。
【図１１】第２例の処理ガスの飽和蒸気圧とステージＰＤの温度の関係を示すグラフである。
【図１２】実験例１で求めた屈折率を示すグラフである。
【図１３】実験例２の処理後の多孔質膜、実験例３の処理後の多孔質膜、及び比較実験例１の処理後の多孔質膜のＦＴＩＲの分析結果を示すグラフである。
【発明を実施するための形態】
【００１８】
以下、図面を参照して種々の実施形態について詳細に説明する。なお、各図面において同一又は相当の部分に対しては同一の符号を附すこととする。
【００１９】
図１は、一実施形態に係る多孔質膜をエッチングする方法を示す流れ図である。図１に示す方法ＭＴは、被処理体の多孔質膜をエッチングする方法である。図２は、被処理体の一例を示す断面図である。図２に示す被処理体（以下、「ウエハＷ」ということがある）は、基板ＳＢ、多孔質膜ＰＬ、及び、マスクＭＫを備えている。多孔質膜ＰＬは、基板ＳＢ上に設けられている。多孔質膜ＰＬには、多数の細孔が形成されている。細孔は、数ｎｍ、例えば、１ｎｍ〜２ｎｍ平均の幅を有し得る。なお、平均の幅とは、各細孔の最大幅の平均値である。また、多孔質膜は、ＳｉＯＣ膜といった低誘電率材料から構成された膜である。多孔質膜ＰＬは、例えば、ＣＶＤ法又はスピン成膜法といった成膜法によって形成され得る。
【００２０】
マスクＭＫは、多孔質膜ＰＬ上に設けられている。マスクＭＫは、一例では、第１層Ｌ１及び第２層Ｌ２を含み得る。第１層Ｌ１は、例えば、シリコン酸化膜であり、第２層Ｌ２は、ＴｉＮ膜であり得る。マスクＭＫには、多孔質膜ＰＬに転写すべきパターンが形成されている。例えば、マスクＭＫには、開口を有するパターンが形成されている。このようなマスクＭＫは、リソグラフィ技術、及びプラズマエッチングを用いることにより形成することができる。なお、プラズマエッチングについては、方法ＭＴの一連の工程において、プラズマ処理装置１０を用いて実行することができる。
【００２１】
方法ＭＴでは、工程ＳＴ１の実行に先立って、プラズマ処理装置の処理容器内にウエハＷが収容される。図３は、一実施形態に係るプラズマ処理装置を概略的に示す図である。図３には、方法ＭＴの実施に用いることができる一例のプラズマ処理装置の縦断面における構造が概略的に示されている。図３に示すプラズマ処理装置１０は、容量結合型プラズマエッチング装置であり、略円筒状の処理容器１２を備えている。処理容器１２の内壁面は、例えば、陽極酸化処理されたアルミニウムから構成されている。この処理容器１２は保安接地されている。
【００２２】
処理容器１２の底部上には、略円筒状の支持部１４が設けられている。支持部１４は、例えば、絶縁材料から構成されている。支持部１４は、処理容器１２内において、処理容器１２の底部から鉛直方向に延在している。また、処理容器１２内には、ステージＰＤが設けられている。ステージＰＤは、支持部１４によって支持されている。
【００２３】
このステージＰＤ上には、プラズマ処理装置１０の処理容器１２内に収容されたウエハＷが載置され、ステージＰＤは当該ウエハＷを保持する。ステージＰＤは、下部電極ＬＥ及び静電チャックＥＳＣを有している。下部電極ＬＥは、第１プレート１８ａ及び第２プレート１８ｂを含んでいる。第１プレート１８ａ及び第２プレート１８ｂは、例えばアルミニウムといった金属から構成されており、略円盤形状をなしている。第２プレート１８ｂは、第１プレート１８ａ上に設けられており、第１プレート１８ａに電気的に接続されている。
【００２４】
第２プレート１８ｂ上には、静電チャックＥＳＣが設けられている。静電チャックＥＳＣは、導電膜である電極を一対の絶縁層又は絶縁シート間に配置した構造を有している。静電チャックＥＳＣの電極には、直流電源２２がスイッチ２３を介して電気的に接続されている。この静電チャックＥＳＣは、直流電源２２からの直流電圧により生じたクーロン力等の静電力によりウエハＷを吸着する。これにより、静電チャックＥＳＣは、ウエハＷを保持することができる。なお、静電チャックＥＳＣ内には、ヒータが内蔵されていてもよく、当該ヒータには、処理容器１２の外部に設けられたヒータ電源が接続されていてもよい。
【００２５】
第２プレート１８ｂの周縁部上には、ウエハＷのエッジ及び静電チャックＥＳＣを囲むようにフォーカスリングＦＲが配置されている。フォーカスリングＦＲは、エッチングの均一性を向上させるために設けられている。フォーカスリングＦＲは、エッチング対象の膜の材料によって適宜選択される材料から構成されており、例えば、シリコン、石英といった材料から構成され得る。
【００２６】
第２プレート１８ｂの内部には、冷媒流路２４が設けられている。冷媒流路２４は、温調機構を構成している。冷媒流路２４には、処理容器１２の外部に設けられたチラーユニットから配管２６ａを介して冷媒が供給される。冷媒流路２４に供給された冷媒は、配管２６ｂを介してチラーユニットに戻される。このように、冷媒流路２４とチラーユニットとの間では、冷媒が循環される。この冷媒の温度を制御することにより、静電チャックＥＳＣによって支持されたウエハＷの温度が制御される。なお、冷媒には、例えば−５０℃以上の温度にウエハＷを冷却し得る一般的な冷媒が用いられる。このような冷媒としては、ガルデン（登録商標）が例示される。
【００２７】
また、プラズマ処理装置１０には、ガス供給ライン２８が設けられている。ガス供給ライン２８は、伝熱ガス供給機構からの伝熱ガス、例えばＨｅガスを、静電チャックＥＳＣの上面とウエハＷの裏面との間に供給する。
【００２８】
また、プラズマ処理装置１０は、上部電極３０を備えている。上部電極３０は、ステージＰＤの上方において、当該ステージＰＤと対向配置されている。下部電極ＬＥと上部電極３０とは、互いに略平行に設けられている。上部電極３０と下部電極ＬＥとの間には、ウエハＷにプラズマ処理を行うための処理空間Ｓが提供されている。
【００２９】
上部電極３０は、絶縁性遮蔽部材３２を介して、処理容器１２の上部に支持されている。上部電極３０は、電極板３４及び電極支持体３６を含み得る。電極板３４は処理空間Ｓに面しており、当該電極板３４には複数のガス吐出孔３４ａが設けられている。この電極板３４は、シリコン又は酸化シリコンといった材料から構成されている。
【００３０】
電極支持体３６は、電極板３４を着脱自在に支持するものであり、例えばアルミニウムといった導電性材料から構成され得る。この電極支持体３６は、水冷構造を有し得る。電極支持体３６の内部には、ガス拡散室３６ａが設けられている。このガス拡散室３６ａからは、ガス吐出孔３４ａに連通する複数のガス通流孔３６ｂが下方に延びている。また、電極支持体３６には、ガス拡散室３６ａに処理ガスを導くガス導入口３６ｃが形成されており、このガス導入口３６ｃには、ガス供給管３８が接続されている。
【００３１】
ガス供給管３８には、バルブ群４２及び流量制御器群４４を介して、ガスソース群４０が接続されている。ガスソース群４０は、複数のガスソースを含んでいる。複数のガスソースは、第１のガスを供給する一以上のガスソース、及び、第２のガスを供給する一以上のガスソースを含んでいる。ガスソース群４０の複数のガスソースは、また、後述する方法ＭＴの工程ＳＴ４において用いられるガス、例えば、アルゴン又は窒素ガスのガスソースを含み得る。
【００３２】
第１のガスは、多孔質膜ＰＬの細孔内で液化される処理ガスを含む。この第１のガスについては、方法ＭＴの詳細と共に後述する。また、第２のガスは、多孔質膜ＰＬのエッチング用のガスである。第２のガスは、例えば、ＳｉＦ４ガス、ＮＦ３ガス、及びＡｒガスといった希ガスの混合ガス、或いは、ＣＦ４ガス、Ｏ２ガス、及びＡｒガスといった希ガスの混合ガスであり得る。
【００３３】
バルブ群４２は複数のバルブを含んでおり、流量制御器群４４はマスフローコントローラといった複数の流量制御器を含んでいる。ガスソース群４０の複数のガスソースはそれぞれ、バルブ群４２の対応のバルブ及び流量制御器群４４の対応の流量制御器を介して、ガス供給管３８に接続されている。
【００３４】
また、プラズマ処理装置１０では、処理容器１２の内壁に沿ってデポシールド４６が着脱自在に設けられている。デポシールド４６は、支持部１４の外周にも設けられている。デポシールド４６は、処理容器１２にエッチング副生物（デポ）が付着することを防止するものであり、アルミニウム材にＹ２Ｏ３等のセラミックスを被覆することにより構成され得る。
【００３５】
処理容器１２の底部側、且つ、支持部１４と処理容器１２の側壁との間には排気プレート４８が設けられている。排気プレート４８は、例えば、アルミニウム材にＹ２Ｏ３等のセラミックスを被覆することにより構成され得る。この排気プレート４８の下方、且つ、処理容器１２には、排気口１２ｅが設けられている。排気口１２ｅには、排気管５２を介して排気装置５０が接続されている。排気装置５０は、ターボ分子ポンプなどの真空ポンプを有しており、処理容器１２内の空間を所望の真空度まで減圧することができる。また、処理容器１２の側壁にはウエハＷの搬入出口１２ｇが設けられており、この搬入出口１２ｇはゲートバルブ５４により開閉可能となっている。
【００３６】
また、プラズマ処理装置１０は、第１の高周波電源６２及び第２の高周波電源６４を更に備えている。第１の高周波電源６２は、プラズマ生成用の高周波電力を発生する電源であり、例えば、２７〜１００ＭＨｚの周波数の高周波電力を発生する。第１の高周波電源６２は、整合器６６を介して上部電極３０に接続されている。整合器６６は、第１の高周波電源６２の出力インピーダンスと負荷側（上部電極３０側）の入力インピーダンスを整合させるための回路である。なお、第１の高周波電源６２は、整合器６６を介して下部電極ＬＥに接続されていてもよい。
【００３７】
第２の高周波電源６４は、ウエハＷにイオンを引き込むための高周波バイアス電力を発生する電源であり、例えば、４００ｋＨｚ〜１３．５６ＭＨｚの範囲内の周波数の高周波バイアス電力を発生する。第２の高周波電源６４は、整合器６８を介して下部電極ＬＥに接続されている。整合器６８は、第２の高周波電源６４の出力インピーダンスと負荷側（下部電極ＬＥ側）の入力インピーダンスを整合させるための回路である。
【００３８】
また、一実施形態においては、プラズマ処理装置１０は、制御部Ｃｎｔを更に備え得る。この制御部Ｃｎｔは、プロセッサ、記憶部、入力装置、表示装置等を備えるコンピュータであり、プラズマ処理装置１０の各部を制御する。この制御部Ｃｎｔでは、入力装置を用いて、オペレータがプラズマ処理装置１０を管理するためにコマンドの入力操作等を行うことができ、また、表示装置により、プラズマ処理装置１０の稼働状況を可視化して表示することができる。さらに、制御部Ｃｎｔの記憶部には、プラズマ処理装置１０で実行される各種処理をプロセッサにより制御するための制御プログラムや、処理条件に応じてプラズマ処理装置１０の各部に処理を実行させるためのプログラム、即ち、処理レシピが格納される。
【００３９】
再び図１を参照し、方法ＭＴについて詳細に説明する。以下の説明では、図１に加えて、図４〜図９を参照する。図４は、方法ＭＴに関連する一例のタイミングチャートである。図５〜図９は、方法ＭＴの各工程の実行後の被処理体の状態を示す断面図である。なお、図４において、第１のガスの供給が高レベル（図中、「Ｈ」で表記）であることは、第１のガスがプラズマ処理装置の処理容器内に供給されていることを示しており、第１のガスの供給が低レベル（図中、「Ｌ」で表記）であることは、第１のガスがプラズマ処理装置の処理容器内に供給されていないことを示している。また、第２のガスの供給が高レベル（図中、「Ｈ」で表記）であることは、第２のガスがプラズマ処理装置の処理容器内に供給されていることを示しており、第２のガスの供給が低レベル（図中、「Ｌ」で表記）であることは、第２のガスがプラズマ処理装置の処理容器内に供給されていないことを示している。また、高周波電力の供給が高レベル（図中、「Ｈ」で表記）であることは、第１の高周波電源６２からの高周波電力が供給されプラズマが生成されていることを示しており、高周波電力の供給が低レベル（図中、「Ｌ」で表記）であることは、第１の高周波電源６２からの高周波電力が供給されておらず、プラズマが生成されていないことを示している。
【００４０】
方法ＭＴでは、まず、工程ＳＴ１が実行される。工程ＳＴ１では、ステージＰＤ上にウエハＷが載置された状態で、処理容器１２内に第１のガスが供給される。図４では、第１のガスが、時刻ｔ１から時刻ｔ２の間、処理容器１２内に供給されることが示されている。また、工程ＳＴ１では、排気装置５０によって処理容器１２内の圧力が所定の圧力に設定される。さらに、工程ＳＴ１では、ステージＰＤの温度が−５０℃以上の温度に設定される。この工程ＳＴ１では、図４に示すように、第１の高周波電源６２からの高周波電力は供給されない。したがって、工程ＳＴ１では、プラズマは生成されない。
【００４１】
第１のガスは、多孔質膜ＰＬの細孔内で液化される処理ガスからなるか、又は当該処理ガスを含む。この処理ガスは、ステージＰＤの温度、例えば、−５０℃以上の温度において１Ｔｏｒｒ、即ち、１３３．３パスカル（Ｐａ）以下の飽和蒸気圧を有するガスである。第１のガスは、処理ガスの分圧が２０％以上の分圧となるように処理容器１２内に供給される。
【００４２】
工程ＳＴ１では、第１のガスを構成する処理ガスが、毛管凝縮により、多孔質膜ＰＬの細孔内において液化する。毛管凝縮とは、毛管中ではガスの飽和蒸気圧よりも低い圧力で当該ガスの凝縮、即ち液化が生じる現象である。この毛管凝縮により、処理ガスの分圧が飽和蒸気圧以下の分圧であっても、多孔質膜ＰＬの細孔内に侵入した当該処理ガスが、当該細孔内において液化して、液体となる。かかる工程ＳＴ１が実行されると、図５に示すように、多孔質膜ＰＬ内には、処理ガスに基づく液体によって細孔が充填された領域ＳＲが形成される。この領域ＳＲは、多孔質膜ＰＬの表面からある深さまでの範囲に及ぶ。このような領域ＳＲが形成されることにより、即ち、多孔質膜ＰＬの細孔が液体によって充填されることにより、後述する工程ＳＴ３によって生成されるラジカルが、多孔質膜ＰＬの細孔に侵入することが抑制される。その結果、多孔質膜ＰＬのダメージが抑制される。なお、処理ガスの種類、及び工程ＳＴ１における各種条件の詳細については、後述する。
【００４３】
方法ＭＴでは、工程ＳＴ１の終了時に第１のガスの処理容器１２内への供給が停止され、次いで、一実施形態では、工程ＳＴ２が実行される。工程ＳＴ２では、処理容器１２内に第２のガスが供給される。第２のガスは、例えば、ＳｉＦ４ガス、ＮＦ３ガス、及びＡｒガスといった希ガスの混合ガス、或いは、ＣＦ４ガス、Ｏ２ガス、及びＡｒガスといった希ガスの混合ガスからなり、続く工程ＳＴ３のエッチングプロセスにて用いられるガスでもある。図４では、第１のガスの供給が工程ＳＴ１の終了時の時刻ｔ２において停止され、処理容器１２内への第２のガスの供給が時刻ｔ２から開始し、時刻ｔ２で開始する工程ＳＴ２が時刻ｔ３まで継続することが示されている。また、図４に示すように、工程ＳＴ２の実行期間中、第１の高周波電源６２からの高周波電力は供給されない。したがって、工程ＳＴ２では、プラズマは生成されない。
【００４４】
工程ＳＴ２では、排気装置５０によって処理容器１２内の圧力が所定の圧力に設定される。この所定の圧力は、工程ＳＴ３の実行時の処理容器１２内の圧力と同様の圧力である。また、工程ＳＴ２では、ステージＰＤの温度、即ち、ウエハＷの温度が、工程ＳＴ３の実行のステージＰＤの温度と同様の温度、例えば、−５０℃以上の温度に設定される。
【００４５】
この工程ＳＴ２では、処理容器１２内のガスが、プラズマを生成しない状態で、第１のガスから第２のガスに置き換えられる。したがって、不要な活性種、即ち、第１のガスに由来する活性種の発生が抑制される。
【００４６】
続く工程ＳＴ３では、第２のガスのプラズマが生成される。このため、工程ＳＴ３では、処理容器１２内に第２のガスが供給された状態が維持され、第１の高周波電源６２から高周波電力が供給される。図４では、工程ＳＴ３の実行期間、即ち、時刻ｔ３から時刻ｔ４までの間に第１の高周波電源６２からの高周波電力が供給されることが示されている。また、工程ＳＴ３では、排気装置５０によって処理容器１２内の圧力が所定の圧力に設定される。この所定の圧力は、例えば、３００ｍＴｏｒｒ（４０Ｐａ）以下の圧力である。また、この所定の圧力は、１００ｍＴｏｒｒ（１３．３３Ｐａ）以下の圧力であってもよい。また、工程ＳＴ３では、ステージＰＤの温度が、例えば、−５０℃以上の温度に設定される。さらに、工程ＳＴ３では、第２の高周波電源６４からの高周波バイアス電力が下部電極ＬＥに供給されてもよい。
【００４７】
この工程ＳＴ３では、活性種、例えばラジカルによって多孔質膜ＰＬがエッチングされる。これにより、図６に示すように、マスクＭＫから露出されている部分において多孔質膜ＰＬがエッチングされる。図６に示すように、工程ＳＴ３において多孔質膜ＰＬがエッチングされる領域は、当該多孔質膜ＰＬの表面に対して領域ＳＲよりも浅い領域である。即ち、図６に示すように、工程ＳＴ３の実行後には、多孔質膜ＰＬの表面からある量（量Ｘ）の領域ＳＲが残される。
【００４８】
上述した工程ＳＴ２及びＳＴ３の実行時間長が長くなると、第２のガスの供給により、処理室内部に存在する第１のガスの処理ガスの分圧が飽和蒸気圧以下となる。したがって、多孔質膜ＰＬの細孔内に侵入し液化した処理ガスが、再び気化し、細孔外部に排出されることになる。即ち、多孔質膜ＰＬの細孔内の液体が気化し、多孔質膜ＰＬは当該細孔内にラジカルが侵入し得る状態となる。このため、一実施形態では、工程ＳＴ１、工程ＳＴ２、及び工程ＳＴ３を含むシーケンスＳＱが繰り返して実行される。即ち、工程ＳＴ１の実行により、図７に示すように、多孔質膜ＰＬの表面からある深さまでの範囲において領域ＳＲが再び形成される。次いで、工程ＳＴ２の実行により、処理容器１２内のガスが第１のガスから第２のガスに置き換えられる。次いで、工程ＳＴ３の実行により、図８に示すように、多孔質膜ＰＬが再びエッチングされる。これにより、多孔質膜ＰＬの液体による保護の効果が薄れる前に、再びシーケンスＳＱを実行することができ、ラジカルからの多孔質膜ＰＬの保護を実現し、且つ、多孔質膜ＰＬのエッチング量を確保することができる。
【００４９】
一実施形態の方法ＭＴでは、工程ＳＴＪにおいて、停止条件が満たされるか否かが判定される。停止条件は、シーケンスＳＱの実行回数が所定回数に達している場合に、満たされるものと判定される。工程ＳＴＪにおいて、停止条件が満たされないと判定される場合には、シーケンスＳＱが再び実行される。一方、工程ＳＴＪにおいて、停止条件が満たされると判定される場合には、シーケンスＳＱの実行が終了し、工程ＳＴ４に移行する。
【００５０】
工程ＳＴ４では、多孔質膜ＰＬの細孔内の液体を気化させて気体を生成し、当該気体を排気する処理が行われる。一実施形態の工程ＳＴ４では、プラズマ処理装置１０において実行することができる。この実施形態では、ステージＰＤの温度が、細孔内の液体を気化させ得る温度に設定される。例えば、ステージＰＤの温度は、常温（例えば、２０℃）以上の温度に設定される。また、工程ＳＴ４では、処理容器１２内にアルゴンガスが供給され、排気装置５０によって処理容器１２内の圧力が所定の圧力、例えば、０．１Ｔｏｒｒ（１３．３３Ｐａ）に設定される。かかる工程ＳＴ４では、多孔質膜ＰＬの細孔内の液体が気化して気体となり、当該気体が排気装置５０によって処理容器１２内の空間から排気される。これにより、多孔質膜ＰＬの細孔内の液体が除去される。
【００５１】
別の実施形態の工程ＳＴ４では、プラズマ処理装置１０に真空搬送系を介して接続された別の処理装置内において、ウエハＷが細孔内の液体を気化させ得る温度環境下に置かれる。
【００５２】
このような方法ＭＴの実施により、図９に示すように、多孔質膜ＰＬのダメージを抑制しつつ、マスクＭＫのパターンを多孔質膜ＰＬに転写することが可能となる。また、方法ＭＴによれば、工程ＳＴ１、工程ＳＴ２、及び工程ＳＴ３を単一のプラズマ処理装置１０を用いて実行することが可能である。また、一実施形態では、工程ＳＴ１、工程ＳＴ２、及び工程ＳＴ３に加えて、工程ＳＴ４をも単一のプラズマ処理装置１０を用いて実行することが可能となる。
【００５３】
以下、工程ＳＴ１において用いられる処理ガス、及び工程ＳＴ１の各種条件について説明する。
【００５４】
第１例の処理ガスは、フルオロカーボンガスである。図１０は、種々のフルオロカーボンガスの飽和蒸気圧とステージＰＤの温度の関係を示すグラフである。図１０のグラフの横軸の「１０００／温度」は、ステージＰＤの温度により１０００を除した値を示しており、縦軸は、ｌｏｇ１０（飽和蒸気圧（ｍＴｏｒｒ））を示している。図１０に示すプロットは、種々のフルオロカーボンガスの飽和蒸気圧とステージＰＤの温度との関係を示す実測値である。図１０に示すように、同図のグラフにおいて各フルオロカーボンガスの飽和蒸気圧とステージＰＤの温度との関係を表す複数の実測値は、略直線上に位置している。
【００５５】
ここで、飽和蒸気圧は、下式（１）のアントワン式と呼ばれる実験式によって良好に近似されることが知られている。式（１）において、Ａ，Ｂ，Ｃは物質により定まる定数、Ｔは絶対温度、ｐは飽和蒸気圧である。
【数１】
0006499001.tif 000002
式（１）のアントワン式によって規定される飽和蒸気圧ｐと絶対温度Ｔの関係は、図１０に示すグラフでは直線関係である（なお、定数Ｃの値がゼロでない場合には、図１０に示す直線が横方向にシフトするだけであって、飽和蒸気圧ｐと絶対温度Ｔとの関係に直線関係が存在することには変わりはない）。したがって、図１０に示す各フルオロカーボンガスに関する複数の実測値の関係は、アントワン式によって規定される直線関係に一致している。よって、実測値から外挿した直線を用いることにより、実測値がない温度領域の飽和蒸気圧を定量的に予測することが可能である。
【００５６】
図１０に示す実測値又は実測値に基づき外挿した直線からわかるように、Ｃ７Ｆ８ガス及びＣ６Ｆ６ガスは、プラズマ処理装置１０で達成し得る−５０℃以上の温度において１Ｔｏｒｒ以下の飽和蒸気圧を有する。したがって、第１例の処理ガスとしては、Ｃ７Ｆ８ガス及びＣ６Ｆ６ガスを用いることができる。しかしながら、第１例の処理ガスは、Ｃ７Ｆ８ガス及びＣ６Ｆ６ガスに限定されるものではなく、ステージ温度において１Ｔｏｒｒ以下の飽和蒸気圧を有する任意のフルオロカーボンガスを第１例の処理ガスとして用いることができる。
【００５７】
第２例の処理ガスは、炭化水素ガス、即ちＣＸＨＹガス、又は、酸素含有炭化水素ガス、即ち、ＣＸＨＹＯＺガスである。ここで、Ｘ、Ｙ、及びＺは、１以上の整数である。第２例の処理ガスとしては、ベンゼン（Ｃ６Ｈ６）、ｎ−ブタノール（ＣＨ３（ＣＨ２）２ＣＨ２ＯＨ）、２−ブトキシエタノール（ＣＨ３（ＣＨ２）３ＯＣＨ２ＣＨ２ＯＨ）、２−エトキシエタノール（Ｃ２Ｈ５ＯＣＨ２ＣＨ２ＯＨ）、シクロヘキサン（Ｃ６Ｈ１２）、ジオキサン（ＯＣＨ２ＣＨ２ＯＣＨ２ＣＨ２）、エタノール（Ｃ２Ｈ５ＯＨ）、酢酸エチル（ＣＨ３ＣＯ２Ｃ２Ｈ５）、エチルベンゼン（Ｃ２Ｈ５Ｃ６Ｈ５）、エチルシクロヘキサン（Ｃ６Ｈ１１Ｃ２Ｈ５）、メチルエチルケトン（Ｃ２Ｈ５ＣＯＣＨ３）、ｎ−オクタン（ＣＨ３（ＣＨ２）６ＣＨ３）、１−プロパノール（ＣＨ３ＣＨ２ＣＨ２ＯＨ）、２−プロパノール（（ＣＨ３）２ＣＨＯＨ）、トルエン（Ｃ６Ｈ５ＣＨ３）が例示される。
【００５８】
図１１は、第２例の処理ガスの飽和蒸気圧とステージＰＤの温度の関係を示すグラフである。図１１では、第２例の処理ガスのうち、メタノール、エタノール、２−プロパノールの飽和蒸気圧（縦軸、単位はＴｏｒｒ）と、ステージＰＤの温度（横軸、単位は℃）の関係が示されている。図１１に示すように、第２例の処理ガスも、プラズマ処理装置１０で達成し得る−５０℃以上の温度において１Ｔｏｒｒ以下の飽和蒸気圧を有する。
【００５９】
第２例の処理ガスは、当該処理ガスに含まれる分子中の炭素原子の原子数に対して当該分子中の酸素原子の原子数が１／２以下である処理ガスであってもよい。かかる第２例の処理ガスとしては、上に例示したガスのうちメタノール以外のガスを用いることができる。このような原子数比の処理ガスによれば、酸素による多孔質膜ＰＬのダメージを抑制することが可能となる。
【００６０】
一実施形態の工程ＳＴ１では、第１のガスは、処理ガスの分圧がステージＰＤの温度における当該処理ガスの飽和蒸気圧の２０％以上、１００％以下の分圧となるように、処理容器１２内に供給される。また、工程ＳＴ１において、処理容器１２内の空間の圧力は１Ｔｏｒｒ、即ち、１３３．３パスカル（Ｐａ）以下の圧力に設定される。なお、工程ＳＴ１における処理ガスの分圧、ステージＰＤの温度、及び処理容器１２内の空間の圧力は、処理ガスの種類に応じて、上述した数値範囲から多孔質膜ＰＬの細孔を液体で満たすのに適した値に設定される。かかる工程ＳＴ１により、処理ガスが多孔質膜ＰＬの表面から当該多孔質膜ＰＬの細孔内に侵入し、細孔内に侵入した処理ガスが、毛管凝縮により当該細孔内において液化して、液体となる。
【００６１】
また、工程ＳＴ１における処理容器１２内の空間の圧力が１Ｔｏｒｒ以下の圧力に設定されることにより、工程ＳＴ３における処理容器１２内の空間の圧力と工程ＳＴ１における処理容器１２内の空間の圧力との差が小さくなる。したがって、工程ＳＴ１から工程ＳＴ３に遷移する際の第１のガスから第２のガスへの切り換え、及び、圧力の切り換えに要する時間を短縮することが可能となる。即ち、工程ＳＴ２に必要な時間を短縮することができる。その結果、工程ＳＴ２において多孔質膜ＰＬ内の液体が気化する量を低減させることができる。
【００６２】
また、工程ＳＴ１において第２例の処理ガスのような可燃性のガスが処理ガスとして用いられる場合には、当該処理ガスを大量のＮ２ガスといった希釈ガスにより希釈して第１のガスにおける処理ガスの濃度を爆発限界濃度以下の濃度に設定し、安全確保を行う必要がある。また、工程ＳＴ１において高圧条件を用いる場合には、工程ＳＴ２の実行の際に大量の第１のガスの排気が必要となるので、これに伴い大量の希釈ガスの排気が必要となる。しかしながら、工程ＳＴ１における処理容器１２内の空間の圧力が１Ｔｏｒｒ以下の圧力に設定されることにより、希釈ガスの量、ひいては第１のガスの総量を低減させることが可能となる。
【００６３】
別の実施形態では、第２例の処理ガスが工程ＳＴ１において用いられ、第１のガスは、処理ガスの分圧がステージＰＤの温度における当該処理ガスの飽和蒸気圧の１００％より大きな分圧となるように、処理容器１２内に供給される。また、この実施形態の工程ＳＴ１では、処理容器１２内の空間の圧力は、５０ｍＴｏｒｒ（６．６６６Ｐａ）以下の圧力に設定される。このような分圧で供給される処理ガスは、多孔質膜ＰＬの細孔内のみならず、処理容器１２内においても液化し得る。しかしながら、処理容器１２内の圧力が５０ｍＴｏｒｒ以下の低圧に設定されているので、工程ＳＴ１において処理容器１２内に存在する処理ガスの分子の数自体が少ない。したがって、処理ガスが液化することによって生成される液体が多孔質膜ＰＬの表面に不均一に付着してマイクロマスクとなることを抑制しつつ、多孔質膜ＰＬの細孔を液体によって充填することが可能となる。
【００６４】
以下、方法ＭＴの評価のために行った実験例について説明する。なお、本発明はこれらの実施例に限定されるものではない。
【００６５】
（実験例１）
【００６６】
実験例１では、スピン成膜法によって作成したＳｉＯＣ膜（以下、「多孔質膜１」という）、及び、ＣＶＤ法によって作成したＳｉＯＣ膜（以下、「多孔質膜２」）を準備した。そして、処理容器１２内の空間の圧力を可変のパラメータとして、工程ＳＴ１を実行した。工程ＳＴ１では、第１のガスとしてＣ６Ｆ６ガスからなるガスを用いた。また、工程ＳＴ１における第１のガスの流量を３０ｓｃｃｍに設定し、ステージＰＤの温度を−５０℃に設定した。
【００６７】
そして、実験例１では、工程ＳＴ１の実行後の多孔質膜１及び多孔質膜２のそれぞれの屈折率を求めた。図１２に、実験例１で求めた屈折率を示す。図１２において、横軸は、工程ＳＴ１の実行時の処理容器１２内の空間の圧力を示しており、縦軸は屈折率を示している。多孔質膜の細孔が液体で充填されているときの該多孔質膜の屈折率は、液体で細孔が充填されていないときの多孔質膜の屈折率よりも増加するが、図１２に示すグラフを参照すると、特に多孔質膜１では、圧力が約６Ｐａ以上になると、屈折率が高い値で飽和していることがわかる。この６Ｐａの圧力は、−５０℃でのＣ６Ｆ６ガスの飽和蒸気圧である２７Ｐａの約２０％である。したがって、実験例１の結果、２０％以上の分圧で処理ガスを処理容器内に供給することにより、多孔質膜の細孔内で処理ガスを液化させることが可能であることが確認された。
【００６８】
（実験例２及び実験例３）
【００６９】
実験例２及び実験例３では、スピン成膜法で作成したＳｉＯＣ膜、即ち多孔質膜を準備した。そして、以下に示す条件で方法ＭＴを実施した。また、比較実験例１において、実験例２及び実験例３と同様の多孔質膜に対して、実験例２の工程ＳＴ３と同様の工程のみを適用した。なお、工程ＳＴ４の処理は、工程ＳＴ３の実行後の多孔質膜を有する被処理体を、工程ＳＴ１〜工程ＳＴ３の実行に用いたプラズマ処理装置と真空搬送系を介して接続された別のプロセスチャンバに搬送して、当該プロセスチャンバにて実行した。
【００７０】
＜実験例２の条件＞
・工程ＳＴ１の第１のガス：Ｃ６Ｆ６ガス（５０ｓｃｃｍ）
・工程ＳＴ１の処理容器１２内の圧力：０．１Ｔｏｒｒ（１３．３３Ｐａ）
・工程ＳＴ１のステージＰＤの温度：−５０℃
・工程ＳＴ１の処理時間：３０秒
・工程ＳＴ２の第２のガス：ＮＦ３／ＳｉＦ４／Ａｒガス（１００／１２０／３０ｓｃｃｍ）
・工程ＳＴ２の処理容器１２内の圧力：０．１Ｔｏｒｒ（１３．３３Ｐａ）
・工程ＳＴ２のステージＰＤの温度：−５０℃
・工程ＳＴ２の処理時間：１０秒
・工程ＳＴ３の第２のガス：ＮＦ３／ＳｉＦ４／Ａｒガス（１２０／１００／３０ｓｃｃｍ）
・工程ＳＴ３の処理容器１２内の圧力：０．１Ｔｏｒｒ（１３．３３Ｐａ）
・工程ＳＴ３のステージＰＤの温度：−５０℃
・工程ＳＴ３の高周波電力：６０ＭＨｚ、１００Ｗ
・工程ＳＴ３の高周波バイアス電力：０．４ＭＨｚ、５０Ｗ
・工程ＳＴ３の処理時間：３秒
・シーケンスＳＱの実行回数：１５回
・工程ＳＴ４のステージの温度：２００℃
・工程ＳＴ４の処理時間：６０秒
【００７１】
＜実験例３の条件＞
・工程ＳＴ１の第１のガス：２−プロパノール（５０ｓｃｃｍ）
・工程ＳＴ１の処理容器１２内の圧力：０．１４Ｔｏｒｒ（１８．６７Ｐａ）
・工程ＳＴ１のステージＰＤの温度：−２０℃
・工程ＳＴ１の処理時間：３０秒
・工程ＳＴ２の第２のガス：ＮＦ３／ＳｉＦ４／Ａｒガス（１２０／１００／３０ｓｃｃｍ）
・工程ＳＴ２の処理容器１２内の圧力：０．１Ｔｏｒｒ（１３．３３Ｐａ）
・工程ＳＴ２のステージＰＤの温度：−２０℃
・工程ＳＴ２の処理時間：５秒
・工程ＳＴ３の第２のガス：ＮＦ３／ＳｉＦ４／Ａｒガス（１２０／１００／３０ｓｃｃｍ）
・工程ＳＴ３の処理容器１２内の圧力：０．１Ｔｏｒｒ（１３．３３Ｐａ）
・工程ＳＴ３のステージＰＤの温度：−２０℃
・工程ＳＴ３の高周波電力：６０ＭＨｚ、１００Ｗ
・工程ＳＴ３の高周波バイアス電力：０．４ＭＨｚ、５０Ｗ
・工程ＳＴ３の処理時間：３秒
・シーケンスＳＱの実行回数：１５回
・工程ＳＴ４のステージの温度：２００℃
・工程ＳＴ４の処理時間：６０秒
【００７２】
実験例２及び３では、方法ＭＴの実施後の多孔質膜をＦＴＩＲ（フーリエ変換赤外分光光度計）を用いて分析した。図１３の（ａ）に、初期、即ち実験例２の処理前の多孔質膜、実験例２の処理後の多孔質膜、及び比較実験例１の処理後の多孔質膜のそれぞれのＦＴＩＲの分析結果であるスペクトルを示す。また、図１３の（ｂ）に、初期、即ち実験例３の処理前の多孔質膜、及び実験例３の処理後の多孔質膜のそれぞれのＦＴＩＲの分析結果であるスペクトルを示す。図１３の（ａ）に示すように、比較実験例１の処理後の多孔質膜のスペクトルは、初期の多孔質膜のスペクトルとは大きく異なっていた。即ち、工程ＳＴ１を実行せずに工程ＳＴ３のエッチングを行うことにより、多孔質膜にダメージが加わることが確認された。一方、図１３の（ａ）に示すように、実験例２の処理後の多孔質膜のスペクトルは、初期の多孔質膜のスペクトルと略同一のスペクトルとなっていた。また、図１３の（ｂ）に示すように、実験例３の処理後の多孔質膜のスペクトルは、初期の多孔質膜のスペクトルと略同一のスペクトルとなっていた。したがって、実験例２及び実験例３のように、工程ＳＴ１において毛管凝縮を利用して多孔質膜の細孔を液体で充填することにより、工程ＳＴ３のエッチングによる多孔質膜のダメージを抑制することが可能であることが確認された。
【００７３】
以上、種々の実施形態について説明してきたが、上述した実施形態に限定されることなく種々の変形態様を構成可能である。例えば、上述した実施形態では、プラズマ処理装置１０が方法ＭＴの実施に用いられているが、方法ＭＴは、誘導結合型のプラズマ処理装置、又は、マイクロ波といった表面波によってプラズマを生成するプラズマ処理装置といった任意のプラズマ処理装置を用いて実施することが可能である。
【符号の説明】
【００７４】
１０…プラズマ処理装置、１２…処理容器、３０…上部電極、４０…ガスソース群、５０…排気装置、６２…第１の高周波電源、６４…第２の高周波電源、ＰＤ…ステージ、ＥＳＣ…静電チャック、ＬＥ…下部電極、Ｗ…ウエハ、ＭＫ…マスク、ＰＬ…多孔質膜、ＳＢ…基板。
【図１】
0006499001.tif 000003
【図２】
0006499001.tif 000004
【図３】
0006499001.tif 000005
【図４】
0006499001.tif 000006
【図５】
0006499001.tif 000007
【図６】
0006499001.tif 000008
【図７】
0006499001.tif 000009
【図８】
0006499001.tif 000010
【図９】
0006499001.tif 000011
【図１０】
0006499001.tif 000012
【図１１】
0006499001.tif 000013
【図１２】
0006499001.tif 000014
【図１３】
0006499001.tif 000015